(57)【要約】【課題】  携帯に便利な便座用シートを提供する。【解決手段】  トイレットペーパーを便座に着脱可能に接着しうる便座用シートであって、水溶性の材料からなる接着シートと、その接着シートの第１面と第２面の両方に設けられた接着部とを有する。短尺の接着シートの場合、多数の短尺の接着シートが１枚ずつはく離可能に重ねて設けられている。重ねた状態で隣接する各２枚の接着シートの間に、はく離シートが介在している。長尺の接着シートの場合、帯状の接着シートと帯状のはく離シートとを重ねてロール状に巻き取っておき、使用時に、所望の長さに切りとって使う。【選択図】  図２
2006198301.tif 000002
【特許請求の範囲】
【請求項１】
トイレットペーパーを便座に着脱可能に接着しうる便座用シートであって、水溶性の材料からなる接着シートと、その接着シートの第１面と第２面の両方に設けられた接着部とを有することを特徴とする便座用シート。
【請求項２】
多数の短尺の接着シートが１枚ずつはく離可能に重ねて設けられていることを特徴とする請求項１に記載の便座用シート。
【請求項３】
重ねた状態で隣接する各２枚の接着シートの間に、はく離シートが介在していることを特徴とする請求項２に記載の便座用シート。
【請求項４】
接着シートの第１面と第２面の各々の互に相違する位置に、接着部とはく離部が配置されていて、重ねた状態で対面する一方の接着シートの接着部が他方の接着シートのはくり部に接していることを特徴とする請求項２に記載の便座用シート。
【請求項５】
長尺帯状の接着シートが長尺帯状のはく離シートと重ねてロール状に巻き取られていることを特徴とする請求項１に記載の便座用シート。
【発明の詳細な説明】
【技術分野】
【０００１】
本発明は、トイレットペーパーを洋式便器の便座に着脱可能に接着するのに適した便座用シートに関する。
【背景技術】
【０００２】
不特定多数の人が利用する洋式便器の便座は、眼には見えなくても汚れや雑菌が着いている可能性があるので、そこに直接肌を接して座ることに不快を感じることが少なくない。
【０００３】
そのような不快感をなくすために、特許文献１〜３に示されているように、いろいろな便座用シートが提案されている。
【０００４】
従来、この種の便座シートは、水溶性の材料からなり、洋式便器の便座上に敷いて使用する使い捨て式のものである。
【０００５】
従来の便座用シートは、馬蹄形状やドーナツ形状になるように、中央部に開口部を形成して、洋式便座をカバーするように敷くものであり、サイズが大きい。そのため、携帯して使用しようとする場合、便座用シートを折りたたんだ状態でカバンなどに収納しておき、トイレで使用するときに、その便座用シートを広げて便座に載せ、その上にトイレ利用者が腰掛けていた。
【特許文献１】特開２０００−１３９７７４号公報
【特許文献２】特開平５−１３０９５２号公報
【特許文献３】特開平１０−１０８８０６号公報
【特許文献４】特開平１１−２８６号公報
【発明の開示】
【発明が解決しようとする課題】
【０００６】
従来の便座用シートは、携帯に不便なものであった。たとえば、大きなサイズの便座用シートを折りたたんで携帯せざるをえなかった。サイズの大きな便座用シートは、折りたたんだ状態でも、依然として縦と横のサイズがかなり大きく、しかも、全体の厚みが大きくなってします。
【０００７】
このような大きなサイズの便座用シートは、携帯する便座用シートの枚数が増えると、嵩張りの問題が大きくなる。
【０００８】
本発明の目的は、携帯が便利な便座用シートを提供することである。
【課題を解決するための手段】
【０００９】
本発明の解決手段を例示すると、次のとおりである。
【００１０】
（１）トイレットペーパーを便座に着脱可能に接着しうる便座用シートであって、水溶性の材料からなる接着シートと、その接着シートの第１面と第２面の両方に設けられた接着部とを有することを特徴とする便座用シート。
【００１１】
（２）多数の短尺の接着シートが１枚ずつはく離可能に重ねて設けられていることを特徴とする前述の便座用シート。
【００１２】
（３）重ねた状態で隣接する各２枚の接着シートの間に、はく離シートが介在していることを特徴とする前述の便座用シート。
【００１３】
（４）接着シートの第１面と第２面の各々の互に相違する位置に、接着部とはく離部が配置されていて、重ねた状態で対面する一方の接着シートの接着部が他方の接着シートのはくり部に接していることを特徴とする前述の便座用シート。
【００１４】
（５）長尺帯状の接着シートが長尺帯状のはく離シートと重ねてロール状に巻き取られていることを特徴とする前述の便座用シート。
【発明の効果】
【００１５】
本発明による便座用シートは、携帯に便利である。
【００１６】
トイレに設置されているトイレットペーパーを利用して、それを適当なサイズに切りとって便座に接着することにすれば、携帯するのは、本発明の便座用シートのみで済む。それゆえ、多数回のトイレ利用に必要な量の便座用シートを携帯する場合であっても、あまり嵩張ることがない。
【発明を実施する最良の形態】
【００１７】
本発明の１つの実施形態においては、便座用シートが、所望の長さに切りとられたトイレットペーパーを便座に着脱可能に接着するために使用するものであって、水溶性の材料からなる接着シートと、その接着シートに設けられた接着剤を有する。
【００１８】
接着シートに加えて、はく離シートを使用する形態と、使用しない形態がある。
【００１９】
はく離シートを使用する形態では、便座用シートが、短尺で矩形（好ましくは長方形）または円形のその他の形状の接着シートと、その接着シートの第１面と第２面（たとえば表面と裏面）の両方に設けられた接着部とを有する場合、重ねた状態で隣接する各２枚の接着シートの間に、はく離シートが介在するようにすることが好ましい。
【００２０】
はく離シートを使用しない形態では、接着シートの第１面と第２面（たとえば表面と裏面）の各々の互に相違する位置に、接着部とはく離部が配置されていて、重ねた状態で対面する一方の接着シートの接着部が他方の接着シートのはく離部に接すようにするのが好ましい。
【００２１】
接着シートは、前述のように短尺にして、多数の短尺の接着シートが１枚ずつはく離可能に重ねて設けられるようにしてもよいし、長尺で必要に応じて切りとるような形状にしてもよい。たとえば、帯状の接着シートと帯状のはく離シートとを重ねて芯の上にロール状に巻き取るようにすることができる。使用時に、そのような接着シートとはく離シートを適当な長さに切りとる。
【００２２】
接着シートとして重要なことは、水溶性の材料で作ることである。そうすれば、接着シートを便器内に投入して、簡単に排水処理をすることができる。
【００２３】
はく離シートも、水溶性の材料で作ることが好ましい。そうすれば、使用すべき接着シートを取り出したあと、不要となったはく離シートを便器内に投入して、簡単に排水処理をすることができる。
【００２４】
水溶性の材料としては、水溶性の紙や、水溶性の樹脂、水溶性の不織布、その他の水溶性物質がある。これらをラミネートの形にすることも可能である。
【００２５】
接着部は、接着シートを便座の所望表面に仮固定して、不用意に接着シートさらにはトイレットペーパーが位置ずれすることを防止するためのものである。たとえば、便座の表面に複数枚の小さな接着シートを仮固定して、それらの上に所望の寸法に切りとったトイレットペーパーを載せて、そのトイレットペーパーの表面から手で押圧することにより、トイレットペーパーを便座に接着シートを介して仮固定することができる。トイレ利用後は、それらのトイレットペーパーと接着シートを便座表面から取り去って一緒に便器内に捨てて排水処理する。
【００２６】
接着シートの接着部は、仮固定のための接着力を十分に有する必要があるが、あまり過度に接着力が強すぎて、トイレ利用後に接着シートを便座表面から除去するのが面倒にならない方がよい。接着部は、トイレ利用時の接着シートおよびトイレットペーパーの位置ずれを防止するとともに、トイレ利用後の除去（はがし）を容易にするような弱い接着力を有する感圧性の粘着剤が好ましい。接着剤の一例として、「ポスト・イット」（登録商標）としてスリーエム  カンパニーによって市販されている、付箋に設けられている接着力の弱い接着剤を使用することができる。他の接着剤の一例として、軟質発泡合成樹脂材料からなる感圧貼着材を使用することができる。
【００２７】
また、接着部は、接着シートの両面（第１面とそれとは反対側の第２面）に接着剤を塗布して形成するのが好ましい。
【００２８】
はく離部は、単に接着剤を接着シートの所定の面に塗布しないだけで形成することが製造コストの点で有利であるが、水溶性のはく離剤を接着シートの所定表面に塗布して形成することもできる。
【００２９】
以下、図面を参照して、本発明の好適な実施例を説明する。
【実施例１】
【００３０】
図１〜２は、本発明の実施例１を示している。
【００３１】
便座用シート１が、水溶性の材料からなる短尺で長方形の接着シート２と、その接着シート２の両面（第１面２ａとそれとは反対側の第２面２ｂの両方）の同じ位置に設けられた接着部３、４とを有する。
【００３２】
図２によく示されているように、多数の短尺の接着シート２が１枚ずつはく離可能に重ねて設けられている。重ねた状態で隣接する各２枚の接着シート２の間に、はく離シート５が介在している。さらに、はく離シート６が一群の接着シート２の最も外側の位置に設けられている。
【実施例２】
【００３３】
図３〜４は、本発明の実施例２を示す。この実施例２においては、重ねた状態で隣接する各２枚の接着シート２の間に、はく離シートが設けられない。
【００３４】
便座用シート１が、水溶性の材料からなる短尺で長方形の接着シート２を有し、その接着シート２の第１面２ａとそれとは反対の第２面２ｂの各々の互に相違する位置に、接着部７、８とはく離部９、１０が配置されていて、重ねた状態で対面する一方の接着シート２の接着部７、８が他方の接着シート２のはく離部９、１０に接している。
【００３５】
はく離部９、１０は、単に接着剤７、８を接着シート２の表面に塗布しないだけで形成することが製造コストの点で有利であるが、水溶性のはく離剤（図示せず）を接着シート２の表面の所定領域に塗布して形成することもできる。
【００３６】
さらに、図４によく示されているように、はく離シート６が一群の接着シート２の最も外側の位置に設けられている。
【実施例３】
【００３７】
図５〜６は、本発明の実施例３を示している。
【００３８】
便座用シート１が、水溶性の材料からなる短尺で長方形の接着シート２と、その接着シート２の両面（第１面２ａとそれとは反対側の第２面２ｂの両方）の同じ位置に設けられた接着部１０、１１とを有する。
【００３９】
図６によく示されているように、多数の短尺の接着シート２は、向きが交互に相違するように、１枚ずつ、はく離可能に重ねて設けられている。重ねた状態で隣接する各２枚の接着シート２の間に、はく離シートは介在していない。
【００４０】
また、はく離シート６が一群の接着シート２の最も外側の位置に設けられている。
【実施例４】
【００４１】
図７〜８は、本発明の実施例４を示す。
【００４２】
便座用シート１が、水溶性の材料からなる円形（円盤状）の接着シート１２の第１面１２ａとそれとは反対側の第２面１２ｂの各々の互に相違する位置に、ドーナツ形の接着部１３と、円形の接着部１４と、円形のはく離部１５と、ドーナツ形のはく離部１６が配置されていて、重ねた状態で対面する一方の接着シート１２の接着部１３、１４が他方の接着シート１２のはく離部１５、１６に接するようになっている。
【００４３】
はく離部１５、１６は、単に接着剤を接着シート１２の表面に塗布しないだけで形成することが製造コストの点で有利であるが、水溶性のはく離剤（図示せず）を接着シート１２の表面の所定領域に塗布して形成することもできる。
【００４４】
図８によく示されているように、円形のはく離シート１８が、一群の接着シート１２の最も外側の位置に設けられている。
【実施例５】
【００４５】
図９〜１０は、本発明の実施例５を示している。
【００４６】
便座用シート１が、水溶性の材料からなる円形の接着シート１２と、その接着シート１２の両面（第１面１２ａとそれとは反対側の第２面１２ｂの両方）の同じ位置に設けられた円形の接着部２０、２１とを有する。
【００４７】
図１０によく示されているように、多数の円形の接着シート１２が１枚ずつはく離可能に重ねて設けられている。重ねた状態で隣接する各２枚の接着シート１２の間に、円形のはく離シート２１が介在している。さらに、円形のはく離シート２２が一群の接着シート１２の最も外側の位置に設けられている。
【実施例６】
【００４８】
図１１は、本発明の実施例６を示す。
【００４９】
便座用シート１が、水溶性の材料からなる長尺で帯状の接着シート２５を有し、その接着シート２５が芯２６にロール状に巻きとられている。接着シート２５の一方の第１面２５ａに接着部２７が設けられ、他方の第２面２５ｂは、はく離部として構成されていて、ロール状に巻いた状態で、接着部２７がはく離部２５ｂに接している。
【００５０】
はく離部２５は、単に接着剤を接着シート２５の表面に塗布しないだけで形成することが製造コストの点で有利であるが、水溶性のはく離剤（図示せず）を接着シートの表面の所定領域に塗布して形成することもできる。
【００５１】
使用時には、接着シート２５を適当な長さに切りとる。
【００５２】
図１１の（ｃ）は、そのように切りとった１枚の短尺の便座用シート１を示している。接着シート２５と接着部２７の厚みが、見やすくする目的で、特別に誇大して示されている。
【実施例７】
【００５３】
前述の実施例１〜６においては、接着部は、面状に隙間なく設けられていたが、小さなものを点在させてもよい。
【００５４】
図１２は、小さな接着部を数多く点在させた本発明の１つの実施例７を示す。
【００５５】
便座用シート１が、水溶性の材料からなる接着シート２の両面の各々の互に相違する位置に、小さな矩形の接着部２８が点在していて（たとえば所定の間隔に配置されていて）、重ねた状態で対面する一方の接着シート２の接着部２８が他方の接着シート２のはく離部２９に接するようになっている。
【００５６】
接着部２８とはく離部２９は、このような小さな矩形に限らず、他の形状（細長い形状など）にしてもよい。たとえば、細長い同じ筋状の接着部２８とはく離部２９を交互にくり返すように配置して縞模様にすることができる。そして、重ねた状態で対面する一方の接着シート２の接着部２８が他方の接着シート２のはく離部２９に接するようにする。
【００５７】
このような形態において、はく離シートを介在させることもできる。
【００５８】
いずれにしても、はく離部２９は、単に接着剤を接着シート２の表面に塗布しないだけで形成することが製造コストの点で有利であるが、水溶性のはく離剤（図示せず）を接着シート１２の表面の所定領域に塗布して形成することもできる。
【実施例８】
【００５９】
接着シートの使い方は、いろいろとあるが、典型例を実施例８として説明する。
【００６０】
接着シート２を便座３０の所望表面に仮固定して、不用意に接着シートが位置ずれすることを防止する。たとえば、便座３０の表面に複数枚（図示例では６枚）の接着シート２を配置し、それらの上に所望の寸法に切りとったトイレットペーパー３１を載せて、そのトイレットペーパー３１の表面から手で押圧することにより、トイレットペーパー３１を便座３０に仮固定する。
【００６１】
トイレ利用後は、それらのトイレットペーパー３１と接着シート２を便座３０の表面から取り去って、一緒に便器３２内に捨てて排水処理する。
【００６２】
本発明は、前述の実施例に限定されるものではなく、各請求項の範囲内で種々の形態を採用しうる。
【００６３】
なお、図１〜１１において、接着シートとはく離部は、図を見えやすくする目的で、誇大して示されている。
【図面の簡単な説明】
【００６４】
【図１】本発明の実施例１による便座用シート基本的な単体を示し、（Ａ）は正面図、（Ｂ）は平面図、（Ｃ）は底面図。
【図２】図１の基本的な単体を数多く重ねた状態の便座用シートの一例を示す正面図。
【図３】本発明の実施例２による便座用シートを示し、（Ａ）は正面図、（Ｂ）は平面図、（Ｃ）は底面図。
【図４】図３の基本的な単体を数多く重ねた状態の便座用シートの基本的な単体の一例を示す正面図。
【図５】本発明の実施例３による便座用シートを示し、（Ａ）は、正面図、（Ｂ）は、その基本的な単体の平面図、（Ｃ）は、同じ単体の底面図。
【図６】図５の基本的な単体を数多く重ねた状態の便座用シートの一例を示す正面図。
【図７】本発明の実施例４による便座用シートを示し、（Ａ）は、その中心を通る断面図、（Ｂ）は、その基本的な単体の平面図、（Ｃ）は、同じ単体の底面図。
【図８】図７の基本的な単体を数多く重ねた状態の便座用シートの一例を示す正面図。
【図９】本発明の実施例５による便座用シートを示し、（Ａ）は、その中心を通る断面図、（Ｂ）は、その基本的な単体の平面図、（Ｃ）は、同じ単体の底面図。
【図１０】図９の基本的な単体を数多く重ねた状態の便座用シートの一例を示す正面図。
【図１１】本発明の実施例６による、接着シートをロール状に巻くタイプの便座用シートを示し、（Ａ）は、その平面図、（Ｂ）はその正面図、（Ｃ）は、所望の長さに切りとった短尺状の接着シートを示している。
【図１２】本発明の実施例７を示す。
【図１３】本発明の実施例８を示す。
【符号の説明】
【００６５】
１  便座用シート
２、１２、２５  接着シート
３、４、７、８、１０、１１、１３、１４、２０、２１、２７、２８  接着部
５、６、１８、２１、２２  はく離シート
９、１０、１５、１６、２９  はく離部
２６  芯管
３０  便座
３１  トイレットペーパー
３２  便器
【図１】
2006198301.tif 000003
【図２】
2006198301.tif 000004
【図３】
2006198301.tif 000005
【図４】
2006198301.tif 000006
【図５】
2006198301.tif 000007
【図６】
2006198301.tif 000008
【図７】
2006198301.tif 000009
【図８】
2006198301.tif 000010
【図９】
2006198301.tif 000011
【図１０】
2006198301.tif 000012
【図１１】
2006198301.tif 000013
【図１２】
2006198301.tif 000014
【図１３】
2006198301.tif 000015
【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
トイレットペーパーを便座に着脱可能に接着する便座用シートであって、水溶性の材料からなる接着シートと、その接着シートの第１面と第２面の両方に設けられた接着部とを有することを特徴とする便座用シート。
【請求項２】
多数の短尺の接着シートが１枚ずつはく離可能に重ねて設けられていることを特徴とする請求項１に記載の便座用シート。
【請求項３】
重ねた状態で隣接する各２枚の接着シートの間に、はく離シートが介在していることを特徴とする請求項２に記載の便座用シート。
【請求項４】
接着シートの第１面と第２面の各々の互に相違する位置に、接着部とはく離部が配置されていて、重ねた状態で対面する一方の接着シートの接着部が他方の接着シートのはくり部に接していることを特徴とする請求項２に記載の便座用シート。
【請求項５】
長尺帯状の接着シートが長尺帯状のはく離シートと重ねてロール状に巻き取られていることを特徴とする請求項１に記載の便座用シート。
【手続補正２】
【補正対象書類名】明細書
【補正対象項目名】００１０
【補正方法】変更
【補正の内容】
【００１０】
（１）トイレットペーパーを便座に着脱可能に接着する便座用シートであって、水溶性の材料からなる接着シートと、その接着シートの第１面と第２面の両方に設けられた接着部とを有することを特徴とする便座用シート。
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
トイレットペーパーを便座に着脱可能に接着するための接着シート単体が、水溶性の材料からなり、接着シート単体の第１面と第２面の両方に接着部が設けられており、しかも、携帯するのに便利な形に、多数の接着シート単体が１枚ずつはく離可能に重ねて設けられていることを特徴とする便座用接着シート。
【請求項２】
多数の接着シート単体が直接重ねて設けられていることを特徴とする請求項１に記載の便座用接着シート。
【請求項３】
接着シート単体の第１面と第２面の各々の互に相違する位置に、接着部とはく離部が配置されていて、重ねた状態で対面する一方の接着シート単体の接着部が他方の接着シート単体のはく離部に接していることを特徴とする請求項２に記載の便座用接着シート。
【請求項４】
重ねた状態で隣接する各２枚の接着シート単体の間に、はく離シートが介在していることを特徴とする請求項１に記載の便座用接着シート。
【請求項５】
水溶性の材料からなる接着シート単体と、その接着シート単体の第１面と第２面の両方に設けられた接着部とを有する便座用接着シートの使用方法であって、多数の接着シート単体が１枚ずつはく離可能に重ねて設けられて、携帯するのに便利な形になっており、トイレ利用時に所望枚数の接着シート単体をはく離し、切りとられたトイレットペーパーを接着シート単体によって便座に着脱可能に接着することを特徴とする便座用接着シートの使用方法。
【手続補正２】
【補正対象書類名】明細書
【補正対象項目名】全文
【補正方法】変更
【補正の内容】
【発明の詳細な説明】
【技術分野】
【０００１】
本発明は、トイレットペーパーを洋式便器の便座に着脱可能に接着する便座用接着シートとその使用方法に関する。
【背景技術】
【０００２】
不特定多数の人が利用する洋式便器の便座は、眼には見えなくても汚れや雑菌が着いている可能性があるので、そこに直接肌を接して座ることに不快を感じることが少なくない。
【０００３】
そのような不快感をなくすために、特許文献１〜３に示されているように、いろいろな便座用シートが提案されている。
【０００４】
従来、この種の便座用シートは、水溶性の材料からなり、洋式便器の便座上に敷いて使用する使い捨て式のものである。
【０００５】
従来の便座用シートは、馬蹄形状やドーナツ形状になるように、中央部に開口部を形成して、洋式便座をカバーするように敷くものであり、サイズが大きい。そのため、携帯して使用しようとする場合、便座用シートを折りたたんだ状態でカバンなどに収納しておき、トイレで使用するときに、その便座用シートを広げて便座に載せ、その上にトイレ利用者が腰掛けていた。
【特許文献１】特開２０００−１３９７７４号公報
【特許文献２】特開平５−１３０９５２号公報
【特許文献３】特開平１０−１０８８０６号公報
【特許文献４】特開平１１−２８６号公報
【発明の開示】
【発明が解決しようとする課題】
【０００６】
従来の便座用シートは、携帯に不便なものであった。たとえば、大きなサイズの便座用シートを折りたたんで携帯せざるをえなかった。サイズの大きな便座用シートは、折りたたんだ状態でも、依然として縦と横のサイズがかなり大きく、しかも、全体の厚みが大きくなってしまう。
【０００７】
このような大きなサイズの便座用シートは、携帯する便座用シートの枚数が増えると、嵩張りの問題が大きくなる。
【０００８】
本発明の目的は、携帯が便利な便座用接着シートとその使用方法を提供することである。
【課題を解決するための手段】
【０００９】
本発明の解決手段を例示すると、次のとおりである。
【００１０】
（１）トイレットペーパーを便座に着脱可能に接着するための接着シート単体が、水溶性の材料からなり、接着シート単体の第１面と第２面の両方に接着部が設けられており、しかも、携帯するのに便利な形に、多数の接着シート単体が１枚ずつはく離可能に重ねて設けられていることを特徴とする便座用接着シート。
（２）接着シート単体として多数の接着シート単体が１枚ずつはく離可能に直接重ねて設けられていることを特徴とする前述の便座用接着シート。
（３）接着シート単体の第１面と第２面の各々の互に相違する位置に、接着部とはく離部が配置されていて、重ねた状態で対面する一方の接着シート単体の接着部が他方の接着シート単体のはく離部に接していることを特徴とする前述の便座用接着シート。
（４）重ねた状態で隣接する各２枚の接着シート単体の間に、はく離シートが介在していることを特徴とする前述の便座用接着シート。
（５）水溶性の材料からなる接着シート単体と、その接着シート単体の第１面と第２面の両方に設けられた接着部とを有する便座用接着シートの使用方法であって、多数の接着シート単体が１枚ずつはく離可能に重ねて設けられて、携帯するのに便利な形になっており、トイレ利用時に所望枚数の接着シート単体をはく離し、切りとられたトイレットペーパーを接着シート単体によって便座に着脱可能に接着することを特徴とする便座用接着シートの使用方法。
【発明の効果】
【００１１】
本発明による便座用接着シートは、トイレ利用前に、トイレットペーパーに接着されていないので、携帯するのに便利である。
【００１２】
トイレに設置されているトイレットペーパーを利用して、それを適当なサイズに切りとって便座に接着することにすれば、携帯するのは、本発明の便座用接着シートのみで済む。それゆえ、トイレットペーパーを持ち運ぶ必要がなく、多数回のトイレ利用に必要な枚数の便座用接着シートのみを携帯すればよく、あまり嵩張ることがない。
【発明を実施する最良の形態】
【００１３】
本発明の１つの実施形態においては、便座用接着シートが、所望の長さに切りとられたトイレットペーパーを便座に着脱可能に接着するために使用するものであって、水溶性の材料からなる接着シート単体と、その接着シート単体に設けられた接着剤を有する。
【００１４】
接着シート単体に加えて、はく離シートを使用する形態と、使用しない形態がある。
【００１５】
はく離シートを使用する形態では、便座用接着シートが、短尺で矩形（好ましくは長方形）または円形、その他の形状の接着シート単体と、その接着シート単体の第１面と第２面（たとえば表面と裏面）の両方に設けられた接着部とを有する場合、重ねた状態で隣接する各２枚の接着シート単体の間に、はく離シートが介在するようにすることが好ましい。
【００１６】
はく離シートを使用しない形態では、接着シート単体の第１面と第２面（たとえば表面と裏面）の各々の互に相違する位置に、接着部とはく離部が配置されていて、重ねた状態で対面する一方の接着シート単体の接着部が他方の接着シート単体のはく離部に接すようにするのが好ましい。
【００１７】
接着シート単体は、前述のように短尺にして、多数の短尺の接着シート単体が１枚ずつはく離可能に重ねて設けられる。
【００１８】
接着シート単体として重要なことは、水溶性の材料で作ることである。そうすれば、接着シート単体を便器内に投入して、簡単に排水処理をすることができる。
【００１９】
はく離シートも、水溶性の材料で作ることが好ましい。そうすれば、使用すべき接着シート単体を取り出したあと、不要となったはく離シートを便器内に投入して、簡単に排水処理をすることができる。
【００２０】
水溶性の材料としては、水溶性の紙や、水溶性の樹脂、水溶性の不織布、その他の水溶性物質がある。これらをラミネートの形にすることも可能である。
【００２１】
接着部は、接着シート単体を便座の所望表面に仮固定して、不用意に接着シート単体さらにはトイレットペーパーが位置ずれすることを防止するためのものである。たとえば、便座の表面に複数枚の小さな接着シート単体を仮固定して、それらの上に所望の寸法に切りとったトイレットペーパーを載せて、そのトイレットペーパーの表面から手で押圧することにより、トイレットペーパーを便座に接着シート単体を介して仮固定することができる。トイレ利用後は、それらのトイレットペーパーと接着シート単体を便座表面から取り去って一緒に便器内に捨てて排水処理する。
【００２２】
接着シート単体の接着部は、仮固定のための接着力を十分に有する必要があるが、あまり過度に接着力が強すぎて、トイレ利用後に接着シート単体を便座表面から除去するのが面倒にならない方がよい。接着部は、トイレ利用時の接着シート単体およびトイレットペーパーの位置ずれを防止するとともに、トイレ利用後の除去（はがし）を容易にするような弱い接着力を有する感圧性の粘着剤が好ましい。接着剤の一例として、「ポスト・イット」（登録商標）としてスリーエム  カンパニーによって市販されている、付箋に設けられている接着力の弱い接着剤を使用することができる。他の接着剤の一例として、軟質発泡合成樹脂材料からなる感圧貼着材を使用することができる。
【００２３】
また、接着部は、接着シート単体の両面（第１面とそれとは反対側の第２面）に接着剤を塗布して形成するのが好ましい。
【００２４】
はく離部は、単に接着剤を接着シート単体の所定の面に塗布しないだけで形成することが製造コストの点で有利であるが、水溶性のはく離剤を接着シート単体の所定表面に塗布して形成することもできる。
【００２５】
以下、図面を参照して、本発明の好適な実施例を説明する。
【実施例１】
【００２６】
図１〜２は、本発明の実施例１を示している。
【００２７】
便座用接着シート１が、水溶性の材料からなる短尺で長方形の接着シート単体２と、その接着シート単体２の両面（第１面２ａとそれとは反対側の第２面２ｂの両方）の同じ位置に設けられた接着部３、４とを有する。
【００２８】
図２によく示されているように、多数の短尺の接着シート単体２が１枚ずつはく離可能に重ねて設けられている。重ねた状態で隣接する各２枚の接着シート単体２の間に、はく離シート５が介在している。さらに、はく離シート６が一群の接着シート単体２の最も外側の位置に設けられている。
【実施例２】
【００２９】
図３〜４は、本発明の実施例２を示す。この実施例２においては、重ねた状態で隣接する各２枚の接着シート単体２の間に、はく離シートが設けられない。
【００３０】
便座用接着シート１が、水溶性の材料からなる短尺で長方形の接着シート単体２を有し、その接着シート単体２の第１面２ａとそれとは反対の第２面２ｂの各々の互に相違する位置に、接着部７、８とはく離部９、１０が配置されていて、重ねた状態で対面する一方の接着シート単体２の接着部７、８が他方の接着シート単体２のはく離部９、１０に接している。
【００３１】
はく離部９、１０は、単に接着剤７、８を接着シート単体２の表面に塗布しないだけで形成することが製造コストの点で有利であるが、水溶性のはく離剤（図示せず）を接着シート単体２の表面の所定領域に塗布して形成することもできる。
【００３２】
さらに、図４によく示されているように、はく離シート６が一群の接着シート単体２の最も外側の位置に設けられている。
【実施例３】
【００３３】
図５〜６は、本発明の実施例３を示している。
【００３４】
便座用接着シート１が、水溶性の材料からなる短尺で長方形の接着シート単体２と、その接着シート単体２の両面（第１面２ａとそれとは反対側の第２面２ｂの両方）の同じ位置に設けられた接着部１０、１１とを有する。
【００３５】
図６によく示されているように、多数の短尺の接着シート単体２は、向きが交互に相違するように、１枚ずつ、はく離可能に重ねて設けられている。重ねた状態で隣接する各２枚の接着シート単体２の間に、はく離シートは介在していない。
【００３６】
また、はく離シート６が一群の接着シート単体２の最も外側の位置に設けられている。
【実施例４】
【００３７】
図７〜８は、本発明の実施例４を示す。
【００３８】
便座用接着シート１が、水溶性の材料からなる円形（円盤状）の接着シート単体１２の第１面１２ａとそれとは反対側の第２面１２ｂの各々の互に相違する位置に、ドーナツ形の接着部１３と、円形の接着部１４と、円形のはく離部１５と、ドーナツ形のはく離部１６が配置されていて、重ねた状態で対面する一方の接着シート単体１２の接着部１３、１４が他方の接着シート単体１２のはく離部１５、１６に接するようになっている。
【００３９】
はく離部１５、１６は、単に接着剤を接着シート単体１２の表面に塗布しないだけで形成することが製造コストの点で有利であるが、水溶性のはく離剤（図示せず）を接着シート単体１２の表面の所定領域に塗布して形成することもできる。
【００４０】
図８によく示されているように、円形のはく離シート１８が、一群の接着シート単体１２の最も外側の位置に設けられている。
【実施例５】
【００４１】
図９〜１０は、本発明の実施例５を示している。
【００４２】
便座用接着シート１が、水溶性の材料からなる円形の接着シート単体１２と、その接着シート単体１２の両面（第１面１２ａとそれとは反対側の第２面１２ｂの両方）の同じ位置に設けられた円形の接着部２０、２１とを有する。
【００４３】
図１０によく示されているように、多数の円形の接着シート単体１２が１枚ずつはく離可能に重ねて設けられている。重ねた状態で隣接する各２枚の接着シート単体１２の間に、円形のはく離シート２１が介在している。さらに、円形のはく離シート２２が一群の接着シート単体１２の最も外側の位置に設けられている。
【実施例６】
【００４４】
前述の実施例１〜５においては、接着部は、面状に隙間なく設けられていたが、小さなものを点在させてもよい。
【００４５】
図１１は、小さな接着部を数多く点在させた本発明の１つの実施例６を示す。
【００４６】
便座用接着シート１が、水溶性の材料からなる接着シート単体２の両面の各々の互に相違する位置に、小さな矩形の接着部２８が点在していて（たとえば所定の間隔に配置されていて）、重ねた状態で対面する一方の接着シート単体２の接着部２８が他方の接着シート単体２のはく離部２９に接するようになっている。
【００４７】
接着部２８とはく離部２９は、このような小さな矩形に限らず、他の形状（細長い形状など）にしてもよい。たとえば、細長い同じ筋状の接着部２８とはく離部２９を交互にくり返すように配置して縞模様にすることができる。そして、重ねた状態で対面する一方の接着シート単体２の接着部２８が他方の接着シート単体２のはく離部２９に接するようにする。
【００４８】
このような形態において、はく離シートを介在させることもできる。
【００４９】
いずれにしても、はく離部２９は、単に接着剤を接着シート単体２の表面に塗布しないだけで形成することが製造コストの点で有利であるが、水溶性のはく離剤（図示せず）を接着シート単体１２の表面の所定領域に塗布して形成することもできる。
【実施例７】
【００５０】
接着シートの使い方は、いろいろとあるが、典型例を実施例７として説明する。
【００５１】
接着シート単体２を便座３０の所望表面に仮固定して、不用意に接着シート単体が位置ずれすることを防止する。たとえば、便座３０の表面に複数枚（図示例では６枚）の接着シート単体２を配置し、それらの上に所望の寸法に切りとったトイレットペーパー３１を載せて、そのトイレットペーパー３１の表面から手で押圧することにより、トイレットペーパー３１を便座３０に仮固定する。
【００５２】
トイレ利用後は、それらのトイレットペーパー３１と接着シート単体２を便座３０の表面から取り去って、一緒に便器３２内に捨てて排水処理する。
【００５３】
本発明は、前述の実施例に限定されるものではなく、各請求項の範囲内で種々の形態を採用しうる。
【００５４】
なお、図１〜１０において、接着シート単体とはく離部は、図を見えやすくする目的で、誇大して示されている。
【図面の簡単な説明】
【００５５】
【図１】本発明の実施例１による便座用接着シートの基本的な単体を示し、（Ａ）は正面図、（Ｂ）は平面図、（Ｃ）は底面図。
【図２】図１の基本的な単体を数多く重ねた状態の便座用接着シートの一例を示す正面図。
【図３】本発明の実施例２による便座用接着シートの基本的な単体を示し、（Ａ）は正面図、（Ｂ）は平面図、（Ｃ）は底面図。
【図４】図３の基本的な単体を数多く重ねた状態の便座用接着シートの基本的な単体の一例を示す正面図。
【図５】本発明の実施例３による便座用接着シートの基本的な単体を示し、（Ａ）は、正面図、（Ｂ）は、その基本的な単体の平面図、（Ｃ）は、同じ単体の底面図。
【図６】図５の基本的な単体を数多く重ねた状態の便座用接着シートの一例を示す正面図。
【図７】本発明の実施例４による便座用接着シートの基本的な単体を示し、（Ａ）は、その中心を通る断面図、（Ｂ）は、その基本的な単体の平面図、（Ｃ）は、同じ単体の底面図。
【図８】図７の基本的な単体を数多く重ねた状態の便座用接着シートの一例を示す正面図。
【図９】本発明の実施例５による便座用接着シートの基本的な単体を示し、（Ａ）は、その中心を通る断面図、（Ｂ）は、その基本的な単体の平面図、（Ｃ）は、同じ単体の底面図。
【図１０】図９の基本的な単体を数多く重ねた状態の便座用接着シートの一例を示す正面図。
【図１１】本発明の実施例６による便座用接着シートの一部を示す。
【図１２】本発明の実施例７を示す。
【符号の説明】
【００５６】
１  便座用接着シート
２、１２  接着シート単体
３、４、７、８、１０、１１、１３、１４、２０、２１、２８  接着部
５、６、１８、２１、２２  はく離シート
９、１０、１５、１６、２９  はく離部
３０  便座
３１  トイレットペーパー
３２  便器
【手続補正３】
【補正対象書類名】図面
【補正対象項目名】全図
【補正方法】変更
【補正の内容】
【図１】
2006198301.tif 000016
【図２】
2006198301.tif 000017
【図３】
2006198301.tif 000018
【図４】
2006198301.tif 000019
【図５】
2006198301.tif 000020
【図６】
2006198301.tif 000021
【図７】
2006198301.tif 000022
【図８】
2006198301.tif 000023
【図９】
2006198301.tif 000024
【図１０】
2006198301.tif 000025
【図１１】
2006198301.tif 000026
【図１２】
2006198301.tif 000027
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
トイレットペーパーを便座に着脱可能に接着するための接着シート単体が、水溶性の材料からなり、接着シート単体の第１面と第２面の両方に接着部が設けられており、しかも、携帯するのに便利な形に、多数の接着シート単体が１枚ずつはく離可能に重ねて設けられており、トイレットペーパーに接着されていない状態で携帯されることを特徴とする便座用接着シート。
【請求項２】
多数の接着シート単体が直接重ねて設けられていることを特徴とする請求項１に記載の便座用接着シート。
【請求項３】
接着シート単体の第１面と第２面の各々の互に相違する位置に、接着部とはく離部が配置されていて、重ねた状態で対面する一方の接着シート単体の接着部が他方の接着シート単体のはく離部に接していることを特徴とする請求項２に記載の便座用接着シート。
【請求項４】
重ねた状態で隣接する各２枚の接着シート単体の間に、はく離シートが介在していることを特徴とする請求項１に記載の便座用接着シート。
【請求項５】
水溶性の材料からなる接着シート単体と、その接着シート単体の第１面と第２面の両方に設けられた接着部とを有する便座用接着シートの使用方法であって、多数の接着シート単体が１枚ずつはく離可能に重ねて設けられており、トイレットペーパーに接着されていない状態で携帯するのに便利な形になっており、トイレ利用時に所望枚数の接着シート単体をはく離し、切りとられたトイレットペーパーを接着シート単体によって便座に着脱可能に接着し、しかも、その接着シート単体は、便座にトイレットペーパーを接着する直前に、他の接着シート単体からはく離することを特徴とする便座用接着シートの使用方法。
【手続補正２】
【補正対象書類名】明細書
【補正対象項目名】００１０
【補正方法】変更
【補正の内容】
【００１０】
（１）トイレットペーパーを便座に着脱可能に接着するための接着シート単体が、水溶性の材料からなり、接着シート単体の第１面と第２面の両方に接着部が設けられており、しかも、携帯するのに便利な形に、多数の接着シート単体が１枚ずつはく離可能に重ねて設けられており、トイレットペーパーに接着されていない状態で携帯されることを特徴とする便座用接着シート。
（２）接着シート単体として多数の接着シート単体が１枚ずつはく離可能に直接重ねて設けられていることを特徴とする前述の便座用接着シート。
（３）接着シート単体の第１面と第２面の各々の互に相違する位置に、接着部とはく離部が配置されていて、重ねた状態で対面する一方の接着シート単体の接着部が他方の接着シート単体のはく離部に接していることを特徴とする前述の便座用接着シート。
（４）重ねた状態で隣接する各２枚の接着シート単体の間に、はく離シートが介在していることを特徴とする前述の便座用接着シート。
（５）水溶性の材料からなる接着シート単体と、その接着シート単体の第１面と第２面の両方に設けられた接着部とを有する便座用接着シートの使用方法であって、多数の接着シート単体が１枚ずつはく離可能に重ねて設けられており、トイレットペーパーに接着されていない状態で携帯するのに便利な形になっており、トイレ利用時に所望枚数の接着シート単体をはく離し、切りとられたトイレットペーパーを接着シート単体によって便座に着脱可能に接着し、しかも、その接着シート単体は、便座にトイレットペーパーを接着する直前に、他の接着シート単体からはく離することを特徴とする便座用接着シートの使用方法。